(57)【要約】  本発明は、対向する第１及び第２の表面と、前記第１の表面に配置される画像受容コーティングを有するベースシートと、ベースシートの第２の表面に配置される再位置決め可能な接着剤とを含む基材を有する再位置決め可能なフォトカードを提供する。フォトカードがテキスト領域及びフォト領域を含むように、基材はデジタルプリンタによって画像形成されている。
2009508716.tif 000002
【特許請求の範囲】
【請求項１】
再位置決め可能なフォトカードであって、
対向する第１の表面及び第２の表面を有するベースシートと、前記ベースシートの前記第１の表面に配置される画像受容コーティングとを含む基材と、及び
前記ベースシートの前記第２の表面に配置される再位置決め可能な接着剤とを含み、
前記フォトカードが、テキスト領域及びフォト領域を含むよう、前記基材がデジタルプリンタによって画像形成されている、再位置決め可能なフォトカード。
【請求項２】
再位置決め可能なフォトカードであって、
対向する第１の表面及び第２の表面を有するベースシートと、前記ベースシートの前記第１の表面に配置される画像受容コーティングとを含む画像形成可能な基材と、
前記ベースシートの前記第２の表面に配置される再位置決め可能な接着剤とを含み、
前記フォトカードは、中央処理装置に格納されるフォト操作ソフトウェア・テンプレートから選択及び印刷されたテキスト領域及びフォト領域を含み、前記ソフトウェアはビットマップ画像を受信し、前記テキスト領域及び前記フォト領域の少なくとも１つの選択及び操作を可能にする、再位置決め可能なフォトカード。
【請求項３】
グラフィック領域をさらに含む請求項１及び２記載の再位置決め可能なフォトカード。
【請求項４】
前記再位置決め可能な接着剤に配置されるライナーをさらに含む請求項１及び２記載の再位置決め可能なフォトカード。
【請求項５】
前記ライナーは、前記ベースシートの前記第２の表面と同一の広がりを有する請求項４記載の再位置決め可能なフォトカード。
【請求項６】
前記再位置決め可能な接着剤は、前記ベースシートの前記第２の表面と実質的に同一の広がりを有する請求項１及び２記載の再位置決め可能なフォトカード。
【請求項７】
前記再位置決め可能な接着剤は、前記ベースシートの前記第２の表面と同一の広がりを有しない請求項１及び２記載の再位置決め可能なフォトカード。
【請求項８】
前記ベースシートは少なくとも１つの縁部を有し、前記再位置決め可能な接着剤は、前記少なくとも１つの縁部から少なくとも１つのストライプオフセットの形であり、前記少なくとも１つの縁部に実質的に平行である請求項１及び２記載の再位置決め可能なフォトカード。
【請求項９】
前記フォトカードは、約７．９ｇ／ｍｍ（２００グラム／インチ）未満のポリエステルへの接着力と、約６００秒以上の静止角度試験接着値とを有する請求項１及び２記載の再位置決め可能なフォトカード。
【請求項１０】
前記フォトカードは、約６．３ｇ／ｍｍ（１６０グラム／インチ）未満のポリエステルへの接着力と、約１８００秒以上の静止角度試験接着値とを有する請求項１及び２記載の再位置決め可能なフォトカード。
【請求項１１】
前記再位置決め可能な接着剤は、微小球の接着剤である請求項１及び２記載の再位置決め可能なフォトカード。
【請求項１２】
再位置決め可能な接着剤は、ポリアクリレート誘導体を含む請求項１１記載の再位置決め可能なフォトカード。
【請求項１３】
前記画像受容コーティングは、酸化物又はシリケートを含む多孔質コーティングである請求項１及び２記載の再位置決め可能なフォトカード。
【請求項１４】
前記画像受容コーティングは、つや消し剤及び膨潤性の親水性ポリマーを含む請求項１及び２記載の再位置決め可能なフォトカード。
【請求項１５】
前記再位置決め可能な接着剤に配置されるライナーをさらに含み、前記ライナーが、前記ベースシートの前記第２の表面と同一の広がりを有しない請求項１及び２記載の再位置決め可能なフォトカード。
【請求項１６】
前記画像形成可能な基材が、６０°で少なくとも２５％の光沢値を有する請求項１及び２記載の再位置決め可能なフォトカード。
【請求項１７】
画像形成されたフォトカードを作成するためのシステムであって、
ビットマップ画像を受信するフォト操作ソフトウェアを含む中央処理装置と、
対向する第１の表面及び第２の表面を有するベースシートと、前記第１の表面に配置された画像受容コーティングと、前記ベースシートの前記第２の表面に配置される再位置決め可能な接着剤とを含む再位置決め可能なフォトカードと、
前記画像形成可能な基材上に少なくとも一部の前記ビットマップ画像を印刷可能な、前記中央処理装置と連絡し合っているプリンタとを含む、システム。
【請求項１８】
前記フォト操作ソフトウェアは、前記ビットマップ画像をさらに処理し、テキストを生成する請求項１７記載のシステム。
【請求項１９】
前記フォト操作ソフトウェアは、ビットマップ画像、テキストを作成する領域及び所定のグラフィック領域を受容する領域を含むテンプレートを提供する請求項１７記載のシステム。
【請求項２０】
画像形成されたフォトカードを作成する方法であって、
デジタル画像を提供するステップと、
ビットマップ画像を受信し、テキストを生成するフォト操作ソフトウェアを含む中央処理装置を提供するステップと、
前記中央処理装置と連絡し合っているプリンタを提供する工程と、
対向する第１の表面及び第２の表面を有するベースシートと、前記ベースシートの前記第１の表面に配置された画像受容コーティングと、前記ベースシートの前記第２の表面に配置される再位置決め可能な接着剤とを含む画像形成可能な基材を含む、再位置決め可能なフォトカードを提供する工程と、
前記フォトカードの仮想画像を作成するために前記フォト操作ソフトウェアを使用するステップであって、前記仮想画像がテキスト領域及びフォト領域を含む工程と、
前記画像形成可能な基材に前記仮想画像を印刷する工程とを含む、方法。
【請求項２１】
前記フォト領域及び前記テキスト領域の少なくとも１つを操作することをさらに含む請求項２０記載の方法。
【請求項２２】
前記フォト操作ソフトウェア・テンプレートは、ビットマップ画像と、テキスト作成領域と、所定のグラフィック領域とを受容する領域を含む請求項２０記載の方法。
【請求項２３】
個別のフォトカードを作製するためのキットであって、
ビットマップ画像を受信可能なフォト操作ソフトウェア・アプリケーションと、
対向する第１の表面及び第２の表面を有するベースシートと、前記ベースシートの前記第１の表面に配置される画像受容コーティングと、前記ベースシートの前記第２の表面に配置される再位置決め可能な接着剤とを含む画像形成可能な基材と、及び
前記再位置決め可能なフォトカードを含む囲いとを含む、キット。
【発明の詳細な説明】
【技術分野】
【０００１】
本発明は、特にデジタル写真及びフォト操作ソフトウェアの用途に適した再位置決め可能なフォトカードに関する。特に、本発明は表示及び視認用の基材に接着して取り付けられるカードを作製するために、デジタルプリンタを使用して直ちに画像形成できるフォトカードに関する。
【背景技術】
【０００２】
デジタル・カメラの使用は、近年増加した。例えば、デジタル写真において、消費者はデジタル・カメラを使用して所望の画像を取り込み、画像をほぼ即座にカメラ画面で視認し、その後、画像を選択し、もしあれば、表示及び視認するために印刷しなければならない。したがって、デジタル写真については、撮影者は最も望ましい画像を、格納された画像のレパートリから選択する能力を有する。対照的に、従来の写真では、大部分の消費者は意図された画像の写真を撮り、それはカメラ・フィルムに取り込まれる。フィルムは現像室に出され、そこでは順に写真のハードコピーが生成される。写真を予め見ることが出来ないので、消費者は全ての画像を受け取り、したがって、望んでいてもいなくても、全ての写真の代金を払う。
【０００３】
個別のフォトカードを作成するために、デジタル画像とテキストとを一体化する様々なソフトウェア・アプリケーションが市販されている。このようなソフトウェアの例としては、ヒューレット・パッカード・デザインスタジオ・ソフトウェア（Hewlett Packard Design Studio Software）がある。典型的なフォトカードは年賀状を含み、一般に「謹賀新年」等の挨拶文を付けた写真部分を有する。他のフォトカードは、幾つかの例を挙げると、卒業や出産の報告、結婚式の招待状などがある。パーソナルコンピュータ及びデジタルプリンタの可用性、コンピュータ・ソフトウェアの融通性及びメッセージを個人化したい消費者の要求により、フォトカードは一般に認められたコミュニケーション手段となった。しかし、現在のフォトカードは、通常、機械的な付属装置を用いて表示される。消費者が冷蔵庫のドアに年賀のフォトカードを飾ることを望む場合は、例えば、フォトカードを付着させるために磁石又はクリップが使用されるだろう。
【発明の開示】
【発明が解決しようとする課題】
【０００４】
消費者がフォトカードを作り、飾る際の融通性を有することが可能なプロダクト・ソリューションが必要である。
【課題を解決するための手段】
【０００５】
本発明は、消耗品として意図されるフォトカードに関する。フォトカードは、画像を表示するために印刷を可能にするベースシート、再位置決め可能な接着剤及びライナーを含む。デジタル写真を作成し、電子的に保存し、印刷するために入手可能なインフラにより、本発明のフォトカードは、特に特殊な機会又はイベントの連絡に有用である。フォトカードは、また、再位置決め可能な接着剤が付着可能なあらゆる水平又は垂直な表面、例えば、冷蔵庫（磁石は不要）、木又はプラスチックの表面（さらなるテープは不要）、布、壁及び窓に飾ることができる。再位置決め可能な接着剤は意図された表面に良好な接着力を提供するが、一旦フォトカードが取り外されると、接着剤が残らないよう選択される。
【０００６】
本発明は、ユーザーが個別のカードを作成することを容易にし、画像形成されたカードを簡単に飾ることができる再位置決め可能なフォトカードに関する。１つの態様において、本発明は、（ｉ）対向する第１の表面及び第２の表面を有するベースシートと、前記ベースシートの前記第１の表面に配置される画像受容コーティングとを含む基材と、（ｉｉ）前記ベースシートの前記第２の表面に配置される再位置決め可能な接着剤とを含み、前記フォトカードが、テキスト領域及びフォト領域を含むよう、前記基材がデジタルプリンタによって画像形成される、再位置決め可能なフォトカードに関する。
【０００７】
本発明は、（ｉ）対向する第１の表面及び第２の表面を有するベースシートと、前記ベースシートの前記第１の表面に配置される画像受容コーティングとを含む画像形成可能な基材と、（ｉｉ）前記ベースシートの前記第２の表面に配置される再位置決め可能な接着剤とを含み、前記フォトカードは、中央処理装置に格納されるフォト操作ソフトウェア・テンプレートから選択及び印刷されたテキスト領域及びフォト領域を含み、前記ソフトウェアはビットマップ画像を受信し、前記テキスト領域及び前記フォト領域の少なくとも１つの選択及び操作を可能にする、再位置決め可能なフォトカードに関する。本願明細書では、用語「操作」は、一般にテキスト領域又はフォト領域を編集する能力を意味する。例えば、テキスト領域の編集は、所望のフォント及びフォントサイズを選択し、テキストを回転させることを含む。例えば、フォト領域の編集は、ビットマップ画像を切り取る又は回転させることを含む。
【０００８】
さらにもう一つの態様において、本発明は再位置決め可能なフォトカードを作製するためのシステムに関する。このシステムは、（ｉ）ビットマップ画像を受信するフォト操作ソフトウェアを含む中央処理装置と、（ｉｉ）対向する第１の表面及び第２の表面を有するベースシートと、前記第１の表面に配置された画像受容コーティングとを含む再位置決め可能なフォトカードと、前記ベースシートの前記第２の表面に配置される再位置決め可能な接着剤と、（ｉｉｉ）前記画像形成可能な基材上に少なくとも一部の前記ビットマップ画像を印刷可能な、前記中央処理装置と連絡し合うプリンタとを含む。別の実施形態では、前記フォト操作ソフトウェアは、さらにテキストを生成する。
【０００９】
さらにもう一つの態様において、さらに、以下に詳細に記載されているように、本発明は再位置決め可能なフォトカードを作る方法に関する。本発明は、個別のフォトカードを作製するためのキットも提供する。このキットは、（ｉ）ビットマップ画像を受信可能なフォト操作ソフトウェア・アプリケーションと、（ｉｉ）対向する第１の表面及び第２の表面を有するベースシートと、前記ベースシートの前記第１の表面に配置される画像受容コーティングと、前記ベースシートの前記第２の表面に配置される再位置決め可能な接着剤とを含む画像形成可能な基材と、及び前記再位置決め可能なフォトカードを含む囲いとを含む。
【００１０】
本願明細書では、用語「フォト領域」は、画像を構成するビットマップ画像を含む画像形成されたフォトカードの部分を意味する。用語「テキスト領域」は、標識（indicia）を含む画像形成されたフォトカードの部分を意味する。用語「グラフィック領域」は、デコラティブな装飾を提供する画像形成されたフォトカードの部分を意味する。画像形成されたフォトカードは、写真、テキスト、及び、任意に図形がカードに現れるように、デジタルプリンタで処理されたものである。
【発明を実施するための最良の形態】
【００１１】
図１は、フォトカード１０の横断面図を示す。フォトカードは、ベースシート１２及び画像受容コーティング１４を有する画像形成可能な基材１１を含む。ベースシートは、対向する第１の表面１２ａ及び第２の表面１２ｂを有する。画像受容コーティングは、ベースシートの第１の表面の全体に配置され、実質的に覆う。再位置決め可能な接着剤１６は、ベースシートの第２の表面に配置される。１つの実施形態では、再位置決め可能な接着剤は第２の表面の全体の表面領域を覆わない。他の実施形態では、再位置決め可能な接着剤はベースシートの第２の表面と同一の広がりを有する。任意のライナー１８は、ベースシートと実質的に同一の広がりを有しても有さなくてもよい。１つの実施形態では、剥離コーティングが再位置決め可能な接着剤と直接接触するよう、ライナーは主表面１８ａに配置される剥離コーティングを含む。所望の場合、表面１８ａの対向表面は標識と共に印刷され得る。
【００１２】
再位置決め可能な接着剤がベースシートの第２の側部上のあらゆる場所に配置可能であり、１つの実施形態では、接着剤は、オフセットの、縁部１２ｃに実質的に平行な、少なくとも１つのストライプの形である。他の実施形態では、シートが主送りホイールを有するプリンタに入るにつれて、シートの前縁部が主送りホイールが、該主送りホイールがシートに接触するポイントで、ライナーに接着して付着されるよう、再位置決め可能な接着剤はベースシートに配置される。
【００１３】
図２は、発明の他の実施形態の背面の平面図であり、ベースシート２２の第２の表面２２ｂと、２つの対向する実質的に平行な縁部２２ｃ、２２ｄを有するベースシートとを示す。縁部からのオフセットは、２つの実質的に平行な再位置決め可能な接着剤ストライプ２６である。他のストライプ構造及び異なる数のストライプが、使用可能である。１０．２ｃｍ×２０．３ｃｍ（４インチ×８インチ）のフォトカードは、一般に接着剤の２つのストライプを含む。接着剤も、所望の場合、縁部の真横に配置可能である。接着剤のストライプを使用する代わりに、他のパターン、例えば接着剤のアイランド又はドットを使用することができる。接着剤は、接着剤を使用せずフォトカードの少なくとも１つの縁部を外すよう、第２の表面に配置可能である。このような接着剤を使用しない最終製品構造は、表面に付着する前にライナーを容易に除去し、飾る表面に塗布した後にフォトカードを容易に取り外すことを可能にする。接着剤で覆われることが必要な第２の表面の表面領域は、他の要因の中で、フォトカードのサイズ、使用される再位置決め可能な接着剤及び意図されたディスプレイモード及び位置に依存する。
【００１４】
図３は、画像形成されたフォトカード１０の前方側部の平面図を示す。カードは、フォト領域３０、テキスト領域４０、任意のグラフィック領域５０及び任意のボーダー６０を含む。ボーダーは、グラフィック領域の一部として考慮できる。多数の写真、テキスト又グラフィック領域を有することは、本発明の範囲内である。さらに、写真、テキスト及びグラフィック領域の特定の位置は、広く変化できる。
【００１５】
本発明はさらに、個別のフォトカードを作製するシステムを提供する。例えば、フォトカードは特定のイベント又は特定の祝日、或いは単に特殊な機会のために、個別に作製できる。システムは、フォト操作ソフトウェアを含むコンピュータのような、中央処理装置（ＣＰＵ）の使用を含む。ソフトウェアは、電子メールにより受信する、又はインターネット・サイトから幾つかのソースにダウンロードされるビットマップ画像、例えば、ＣＰＵのメモリに格納されるデジタル写真を受信することができる。システムは、本発明の再位置決め可能なフォトカードを含む。システムは、ＣＰＵと通信し、少なくともビットマップ画像を一部の再位置決め可能なフォトカードに印刷することができるプリンタをさらに含む。個別のフォトカードを作製するための１つの方法では、フォト操作ソフトウェアは、ユーザーが選択可能な複数の様々なテンプレートを提供する。テンプレートは、一般にビットマップ画像、テキスト領域及びグラフィック領域を受け入れるための領域を含む。フォト領域及びテキスト領域は操作できる。テンプレートを使用する場合、ユーザーは所望のテンプレートを選択し、テンプレートのフォト領域に挿入する所望のビットマップ画像を選択し、ユーザーが画像に付与したい文書を加える。個別のフォトカードを作製する他の方法では、ユーザーはフォト領域、テキスト領域及び任意にグラフィック領域を有する自分のテンプレートを作成することができる。
【００１６】
本発明は、さらに個別のフォトカードを作る方法を提供する。この方法は、（ｉ）デジタル画像を提供するステップと、（ｉｉ）ビットマップ画像を受信し、テキストを生成するフォト操作ソフトウェアを含む中央処理装置を提供するステップと、（ｉｉｉ）前記中央処理装置と連絡し合うプリンタを提供するステップと、対向する第１の表面及び第２の表面を有するベースシートと、前記ベースシートの前記第１の表面に配置された画像受容コーティングと、前記ベースシートの前記第２の表面に配置される再位置決め可能な接着剤とを含む、再位置決め可能なフォトカードを提供するステップと、（ｉｖ）前記フォトカードの仮想画像を作成するために前記フォト操作ソフトウェアを使用するステップであって、前記仮想画像がテキスト領域及びフォト領域を含むステップと、（ｖ）前記画像形成可能な基材に前記仮想画像を印刷するステップとを含む。本願明細書では、用語「仮想画像」は一般に、フォトカードの外観をプレビューするために、ＣＰＵの画面上で見られる画像を意味する。
【００１７】
現在、画像形成可能な基材の様々な構成要素に変わって、ベースシートは、例えば、紙、プラスチック（発泡体及び不織布を含む）及び布（織物）を含む様々な材料から作製できる。用語「プラスチック」は、一般にフィルム又はシートに成形可能な熱可塑性又は熱硬化性樹脂高分子を意味する。用語「テキスタイル」は、一般に、天然繊維、人工繊維又はそれらの組合せの織物又は織布を意味する。１つの実施形態では、ベースシートは坪量１８０ｇ／ｍ２以下である。他の実施形態では、ベースシートは坪量１５０ｇ／ｍ２以下である。
【００１８】
１つの実施形態では、ベースシートは厚さ０．２５ｍｍ（０．０１０インチ）未満である。１つの実施形態では、紙が使用される際、紙はカレンダー加工された形態で供給され、画像受容コーティングは該紙の上にコーティングされる。適切な紙の１つは、カナダ、ケベックのドムター・インコーポレイテッド（Domtar, Inc.）から市販されている１００＃テキスト・ルナーペーパー（Text Lunar paper）である。他の適切な紙は、製紙業者、例えばスコラー・アンド・インターナショナル・ペーパー（Schoeller and International Paper）から市販されている紙を含む。
【００１９】
例えば、適切なプラスチックは、ポリオレフィン、ポリエステル、ポリスチレン、ポリアミド、ポリウレタン及びそれらのコポリマーを含む。これらの材料は、紙の外観を模倣するために白色顔料、ナノ粒子又はベシクルによって任意に合成することができる。プラスチックは１つ以上のブレンド、複合材料及びコポリマーを含むポリマー材料の単一及び多層膜構造をさらに含む。紙基材と比較した場合に、強化された湿気及びカール抵抗の付加利益を有する紙のような性能を模倣するよう、プラスチックフィルムは、化学的又は機械的に改変され得る（カレンダー加工、配向）。
【００２０】
画像受容コーティングは基材に付着するあらゆる組成物から成ってもよく、デジタルプリント、例えばインクジェット・プリント、カラー・インクジェット・プリント、レーザー・プリント及び色素又は溶融転写に適している。画像受容コーティングがインクジェット受容コーティングであるときに、適切なコーティングは組成物の２つの汎用クラス、（１）通常、シリカ、混合酸化物及びアルミニウムの水酸化物を含み得る多孔性、微小孔性、ナノ多孔性コーティングとして一般に記載されている毛管作用によってインクを吸収するもの（２）膨潤性のポリマーコーティングと一般に呼ばれる膨潤によって、インキを吸収する親水性ポリマーを含むものを含む。
【００２１】
適切な多孔性、微小孔性、ナノ多孔性コーティングは、米国特許第６，５０２，９３５号（バーコックら（Barcock et al.））及び米国特許第６，８３０，７９８号（ミスダら（Misuda et al.））を含む。
【００２２】
適切な膨潤性ポリマー、インク受容コーティングは、米国特許第５，１３４，１９８号（ストフコ，ジュニア２１３ら（Stofko, Jr. et al.））及び米国特許第５，３８９，７２３号（イクバール（Iqbal）その他）に記載されている。双方の特許の非常に短い概要には、半相互浸透ポリマーネットワークが記載されている。これらのネットワークは、ポリマーのブレンドであり、集合体の全体にわたって連続的ネットワークを形成するためにブレンドした後、ポリマー成分の少なくとも１つは架橋され、それにより、肉眼的に均一な組成物を形成するような方法で、非架橋ポリマー成分は絡み合っている。他の適切な画像受容コーティングは米国特許第６，８０６，３１０（コポロウら（Kopolow et al.））に記載されており、それはジメチルアミノプロピル・メタクリルアミド（ＤＭＡＰＭＡ）及びヒドロキシエチルメタクリラート（ＨＥＭＡ）のコポリマーを開示する。これらのコポリマーでコーティングされる基材が、溶媒、例えば水又はデジタルプリント用インクの有機溶剤類を１分未満の乾燥時間で急速に吸収することができると記載している。さらに別の適切な画像受容コーティングは、米国特許公開第２００５／００２７０６８号に記載されており、コンピュータ・プリンタで使用する基材をコーティングするためのビニルカプロラクタム、ＤＭＡＰＭＡ及びＨＥＭＡのターポリマー組成物を開示する。
【００２３】
適切な再位置決め可能な接着剤は、全て参照することにより本明細書に援用される、米国特許第３，６９１，１４０号（シルバー（Silver））、米国特許第３，８５７，７３１号（メリルら（Merrill et al.））、米国特許第４，１６６，１５２号（ベーカーら（Baker et al.））、米国特許第４，４９５，３１８号（ハワード（Howard））、米国特許第５，０４５，５６９号（デルガード（Delgado））、米国特許第５，０７３，４５７号（ブラックウェル（Blackwell））及び米国特許第５，５７１，６１７号（クープライダーら（Cooprider et al.））、米国特許第５，６６３，２４１号（タカマツら（Takamatsu et al.））、米国特許第５，７１４，２３７号（クープライダーら）、米国再発行特許第３７，５６３号（クープライダーら）、及び、米国特許第５，７５６，６２５号（クランドールら（Crandall et al.））及び米国特許第５，８２４，７４８号（ケスティら（Kesti et al））に開示される。再位置決め可能な接着剤は、溶媒ベース、ウォーターベースであり得る、又は、溶媒不要のホットメルト接着剤でありえる。
【００２４】
本発明のフォトカードは、２つの接着試験、（１）ポリエステル（特にテレフタル酸ポリエチレン）に対する接着力、（２）静止角度試験（SAT; static angle test）によってさらに特徴づけられる。両方を詳細に後述する。
【００２５】
予めコーティングされ、乾燥された再位置決め可能な接着剤のサンプル全体に米国、ミネソタ州、セントポールの３Ｍカンパニー（3M Company）から製品表示ＯＲ１６フィルムとして入手可能な、平らなポリエステルの３２ｍｍ（１．２５インチ）の片を積層することによって、ポリエステル対する接着力試験が実施される。ポリエステルは、２５．４ｍｍ／分（１２インチ／分）の割合で、２ｋｇのゴム・コーティングされたローラ・ローリングを用いて接着剤に積層される。応力／歪ゲージ、例えばインストロン・コーポレイション（Instron Corp.）から入手可能なものを使用して、ポリエステル・フィルムは、３０５ｍｍ／分（１２インチ／分）の剥離割合で、９０°の角度で接着剤から引き離される。剥離力は、グラム／インチで記録される。
【００２６】
ＳＡＴは、一定の負荷の下で特定の剥離角度で、取りはずす圧力を受けながら、標準の試験パネルに接着されたままにするための再位置決め可能な接着剤を有するフォトカードの機能を測定する。静止角度試験は、フォトカードの分離抵抗を測定するための定量法の一つである。
【００２７】
静止角度試験の実行にあたって、６つのフォトカード・サンプルは、以下の典型的な工程を使用して準備できる。これらのサンプルは、全て同じ寸法（長さ７６ｍｍ×幅３３ｍｍ）である。フォトカードの各サンプルは、長さ３３ｍｍ×幅１８ｍｍの接着剤ストライプを含み、各接着剤ストライプの長寸法が、各フォトカード・サンプルの短寸法に沿って、且つ、各フォトカード・サンプルの頂部に配置される。
【００２８】
試験パネルは、塗装された表面を有するスチール・パネルである。各サンプルは、平行に配向され、フォトカード・サンプルの頂部に位置する、接着剤ストライプの長寸法を有する、塗装されたスチール・パネルに適用される。その後、１０．３ｋＰａ（１平方インチにつき１．５ポンド（７７．６ｍｍの水銀））の適用圧力を有するアプリケーション・ローラの２回の通過により、サンプルは塗装されたスチール表面に圧着される。
【００２９】
地面に対してほぼ直角に、垂直配向されるホルダーフレーム内に、取り付けられたサンプルは配置される。塗装されたスチール・パネルは、垂直方向のフレームに関して３０°下向きの角度で保たれる。１００グラムの負荷は、ホルダーフレームの下端に近接したフォトカード・サンプルの下端に適用される。フォトカード・サンプルがスチール・パネルから外れる前に、どのくらいの長さ、サンプルが塗装されたスチール表面に付着し続けるかを測定するために、タイマーは、１００グラムの負荷の適用後に起動する。ＳＡＴは通常、不具合が起こるまで、すなわち、サンプルが実際にスチール・パネルから外れるまで行われる。剥離の時間は、通常６つの結果を平均して秒で測定される。
【００３０】
本発明のフォトカードは、７．９ｇ／ｍｍ（２００グラム／インチ）以下、好ましくは６．３ｇ／ｍｍ（１６０グラム／インチ）以下未満のポリエステル値まで接着力を有し、６００秒以上、好ましくは１８００秒以上の静止角度試験値を有する。一般に、ポリエステル値に対する接着力が低下すると、取り付けられていた基材からフォトカードを取り外すのが容易になる。一般に、静止角度試験値が高くなると、フォトカードは、一旦適用された意図された基材に接着されたままになる。
【００３１】
ライナーは、適用まで再位置決め可能な接着剤を保護するために使用される。ライナーは、保管の間、及び、プリンタの送り機構を通過する間に、再位置決め可能な接着剤にしっかりと接着する、あらゆる紙又はプラスチックシートでありえる。ライナーはきれいに且つ容易に写真用紙を印刷した後の再位置決め可能な接着剤から剥がれる。ライナーは、所望の剥離性能を達成するために剥離コーティングで処理されてもよい。適切なコーティングは、直鎖アルカン誘導体、ポリジアルキシ・シロキサン誘導体又はフルオロカーボン誘導体に基づくコーティングを含む。１つの典型的な剥離コーティングは、米国特許第５，０３２，４６０（カンター（Kanter）ら）に記載されている。０．５４ｇ／ｍ２（０．０５ｇ／ｆｔ２）〜１．１ｇ／ｍ２（０．１ｇ／ｆｔ２）の乾燥メッキ重量に達するよう、剥離コーティングは、ライナー、一般にライナーの表面領域全体に、塗布される。適切なシリコンベース剥離ライナーは、米国、イリノイ州、ウィロウブロックのロパレックス・インコーポレイテッド（Loparex, Inc.）から市販されている。
【００３２】
１つの典型的な工程において、発明のフォトカードは、次のように連続プロセスで作製される。画像受容コーティングは、従来のコーティング技術、例えばグラビアコーティング又は金型コーティングを使用したベースシートの第１の側部にコーティングされる。コーティングされたベースシートは、乾燥装置（例えばオーブン）を通過する。次の位置で、底部の第２の側部に、再位置決め可能な接着剤が従来のコーティング方法を使用した所望のパターンで塗布される。任意に、さらなる下塗りを、接着剤とベースシートとの間に施すことができる。下塗りされているかいないかに関わらず、接着剤コーティングされたベースシートは第２の乾燥装置を通過する。その後、フォトカードを形成するために、ライナーは再位置決め可能な接着剤及びベースシートの第２の側部と接触するよう、ライナーはベースシートに積層される。フォトカードは、ロール状に巻かれてもよく、又は、フォトカードの所望のサイズに変換される。画像受容コーティング及び再位置決め可能な接着剤の乾いたコーティング膜厚は、良好な印字品質（画像の良好な解像度）及び表面への良好な接着性のような特徴を含む、所望の製品属性を提供するのに十分でなければならない。１つの実施形態では、画像受容コーティングの乾いたコーティング膜厚は、３ミクロン以上及び３０ミクロン以下である。
【００３３】
フォトカードを作製する他の方法も使用できる。例えば、画像受容コーティング及び再位置決め可能な接着剤は、ライナー取付けステップの後に、ベースシートに同時に塗布されることができる。再位置決め可能な接着剤は、中間表面、例えば転送ロールに塗布でき、その後、ベースシートに転写することができる。
【００３４】
本発明の特定の実施形態が示され、記載されたが、これらの実施形態は、多くの可能な特定の装置を単に図示しただけであり、本発明の原理の用途において考案されることができることを理解されたい。多数の及び様々な他の装置は、本発明の趣旨および範囲から逸脱することなく、当業者によって、これらの原理に従って考案されることができる。したがって、本発明の範囲は、本出願に記載の構成ではなく、請求項の言語により記載されている構成及びそれらの構成の等価物のみにより限定される。
【００３５】
本発明は以下の図を参照してさらに記載される。
【００３６】
これらの図は理想化され、一定の比率で図示されておらず、図示する目的のみを意図する。
【図面の簡単な説明】
【００３７】
【図１】本発明の１つの実施形態の概略横断面図。
【図２】本発明の実施形態の後方側部の平面図。
【図３】本発明の実施形態の前方側部の平面図。
【図１】
2009508716.tif 000003
【図２】
2009508716.tif 000004
【図３】
2009508716.tif 000005
【国際調査報告】
2009508716.tif 000006
2009508716.tif 000007
2009508716.tif 000008